(57)【要約】【課題】同軸ケーブルの芯線と端子金具との接続部分周辺のシールド性を向上させることができ、施工性にも優れた同軸ケーブルコネクタを提供する。【解決手段】同軸ケーブルコネクタは、筐体と、端子金具と、端子ケースと、端子板と、蓋材と、を備える。筐体は、金属製であって一側面に開口部が形成される。端子金具は、入力側同軸ケーブルの芯線を挟持する第１ばね片と、出力側同軸ケーブルに取着されたＦ型接栓の芯線を挟持する第２ばね片と、を有する。端子ケースは、筐体内に配設され、端子金具を収納するとともに入力側同軸ケーブルの芯線が挿通される挿通孔が形成される。端子板は、金属製であって端子ケースが装着される。蓋材は、金属製であって筐体の開口部を開閉可能である。端子板は、一端が封止された筒状であって入力側同軸ケーブルが挿入されるとともに、端子ケースの第１ばね片が収納された部分を被覆するシールド部を備える。【選択図】図１３
2020177852.tif 000002
【特許請求の範囲】
【請求項１】
一側面に開口部が形成された金属製の筐体と、
入力側同軸ケーブルの芯線を挟持する第１ばね片と、出力側同軸ケーブルに取着されたＦ型接栓の芯線を挟持する第２ばね片と、を有する端子金具と、
前記筐体内に配設され、前記端子金具を収納するとともに前記入力側同軸ケーブルの芯線が挿通される挿通孔が形成された端子ケースと、
前記端子ケースが装着される金属製の端子板と、
前記筐体の前記開口部を開閉可能な金属製の蓋材と、
を備えた同軸ケーブルコネクタにおいて、
前記端子板は、一端が封止された筒状であって前記入力側同軸ケーブルが挿入されるとともに、前記端子ケースの前記第１ばね片が収納された部分を被覆するシールド部を備えることを特徴とする同軸ケーブルコネクタ。
【請求項２】
前記シールド部は円形のケーブル挿入穴を有し、前記挿通孔および前記第１ばね片は前記ケーブル挿入穴の中心を通る直線上に位置することを特徴とする請求項１に記載の同軸ケーブルコネクタ。
【請求項３】
前記ケーブル挿入穴の内周面には、前記入力側同軸ケーブルの外部導体と接触する導通リブが形成されることを特徴とする請求項２に記載の同軸ケーブルコネクタ。
【請求項４】
前記端子ケースは透明な樹脂材料で形成され、前記シールド部は、前記第１ばね片に対向する位置に窓部が形成されており、
前記シールド部の外側から前記端子ケースおよび前記窓部を介して前記第１ばね片を視認可能であることを特徴とする請求項１乃至請求項３のいずれかに記載の同軸ケーブルコネクタ。
【請求項５】
前記端子ケースは、前記端子金具の前記第１ばね片側を収容する第１収容部と、前記端子金具の前記第２ばね片側を収容する第２収容部と、で構成され、
前記端子板は、前記端子板を挟んで前記第１収容部を前記第２収容部と反対側に突出させる連通部と、前記連通部から突出した前記第１収容部を被覆する前記シールド部と、を有することを特徴とする請求項１乃至請求項４のいずれかに記載の同軸ケーブルコネクタ。
【請求項６】
前記蓋材は、前記筐体の前記開口部の一側縁に回動可能に支持されており、
前記蓋材および前記端子板には、前記蓋材が前記開口部を閉鎖する位置にあるとき前記入力側同軸ケーブルの外周面を挟持する抜け止めリブが形成されることを特徴とする請求項１乃至請求項５のいずれかに記載の同軸ケーブルコネクタ。
【発明の詳細な説明】
【技術分野】
【０００１】
本発明は、テレビ受像機にアンテナ受信信号を供給するテレビコンセント等の、同軸ケーブルを接続する同軸ケーブルコネクタに関するものである。
【背景技術】
【０００２】
高周波信号を取り扱う機器に信号を入出力するために、同軸ケーブルコネクタを使用することが多い。例えば、屋内の壁面等に設けられるテレビコンセントには、テレビアンテナから入力側同軸ケーブルを介してアンテナ受信信号が供給される。そのアンテナ受信信号がテレビコンセントから出力側同軸ケーブルを介してテレビ受像機に供給される。
【０００３】
ところで、アンテナ受信信号のＩＦ周波数帯域は、無線ＬＡＮ等の他の通信サービスの帯域と重なるため、干渉によるノイズが発生しやすいという問題点があった。そこで、施工性がよく、ノイズに対するシールド性にも優れた同軸ケーブルコネクタが提案されており、特許文献１には、一方が開口された箱状の筐体と、筐体内に配設され、入力側同軸ケーブルの芯線と出力側同軸ケーブルに取着されたＦ型接栓の芯線を電気的に接続する端子金具と、金属で一体に構成されて筐体の開口部を覆う蓋部材と、を備えるテレビコンセントが開示されている。
【先行技術文献】
【特許文献】
【０００４】
【特許文献１】特開２０１７−１０３１２２号公報
【発明の概要】
【発明が解決しようとする課題】
【０００５】
特許文献１のテレビコンセントでは、入力側同軸ケーブルの芯線を端子ケースの挿通孔に挿通して端子金具のばね片に挟着させている。このとき、芯線が端子金具に確実に挟着されたかどうかを確認することが困難であった。また、入力側同軸ケーブルの芯線のみが端子ケース内に挿入されるため、芯線と端子金具との接続部分周辺のシールド性が十分ではなかった。さらに、入力側同軸ケーブルの芯線を端子ケースの挿通孔を介して端子金具のばね片に挟着する際の施工性に関しても更なる改良の余地があった。
【０００６】
本発明は、上記問題点に鑑み、同軸ケーブルの芯線と端子金具との接続部分周辺のシールド性を向上させることができ、施工性にも優れた同軸ケーブルコネクタを提供することを目的とする。
【課題を解決するための手段】
【０００７】
上記目的を達成するために本発明の第１の構成は、筐体と、端子金具と、端子ケースと、端子板と、蓋材と、を備えた同軸ケーブルコネクタである。筐体は、金属製であって一側面に開口部が形成される。端子金具は、入力側同軸ケーブルの芯線を挟持する第１ばね片と、出力側同軸ケーブルに取着されたＦ型接栓の芯線を挟持する第２ばね片と、を有する。端子ケースは、筐体内に配設され、端子金具を収納するとともに入力側同軸ケーブルの芯線が挿通される挿通孔が形成される。端子板は、金属製であって端子ケースが装着される。蓋材は、金属製であって筐体の開口部を開閉可能である。端子板は、一端が封止された筒状であって入力側同軸ケーブルが挿入されるとともに、端子ケースの第１ばね片が収納された部分を被覆するシールド部を備える。
【発明の効果】
【０００８】
本発明の第１の構成によれば、入力側同軸ケーブルを端子板のシールド部に挿入して芯線を端子ケースの挿通孔に挿通し、蓋材を筐体に固定すれば、入力側同軸ケーブルの同軸ケーブルコネクタへの接続作業が終了する。即ち、シールド部が入力側同軸ケーブルの挿入ガイドとして機能するため、芯線を挿通孔に円滑に挿通することができる。従って、入力側同軸ケーブルの接続作業に要する工数を削減することができる。また、入力側同軸ケーブルの芯線と端子金具との接続部分である第１ばね片周辺がシールドされるため、入力側同軸ケーブルに対する電磁シールド性を向上させることができる。
【図面の簡単な説明】
【０００９】
【図１】本発明の一実施形態に係るテレビコンセント１を室内側から見た外観斜視図
【図２】本実施形態のテレビコンセント１を室外側から見た外観斜視図
【図３】本実施形態のテレビコンセント１を構成する筐体２を室内側から見た斜視図
【図４】本実施形態のテレビコンセント１を構成する筐体２を室外側から見た斜視図
【図５】本実施形態のテレビコンセント１を構成する蓋材３を内側から見た斜視図
【図６】本実施形態のテレビコンセント１を構成する端子カバー４を内側から見た斜視図
【図７】本実施形態のテレビコンセント１から筐体２および端子カバー４を取り外した状態を示す斜視図
【図８】端子ケース１０を下方から見た斜視図
【図９】図７の端子ケース１０から第２収容部１０ｂを取り外した状態を示す斜視図
【図１０】端子ケース１０に収容される端子金具１４の斜視図
【図１１】筐体２内に配置される端子板２０を室外側から見た斜視図
【図１２】筐体２内に配置される端子板２０を室内側から見た斜視図
【図１３】端子板２０のシールド部２３に入力側同軸ケーブルＣ１が挿入された状態を室外側から見た平面図
【図１４】端子ケース１０が装着された端子板２０を下方から見た図
【発明を実施するための形態】
【００１０】
以下、図面を参照しながら本発明の実施形態について説明する。図１および図２は、それぞれ本発明の一実施形態に係るテレビコンセント１を室内側および室外側から見た外観斜視図である。テレビコンセント１は、端子ケース１０（図８参照）内に収容される端子金具１４（図１０参照）を介して入力側同軸ケーブルＣ１（図１３参照）と出力側同軸ケーブルＣ２とを電気的に接続する。テレビコンセント１は、筐体２と、蓋材３と、端子カバー４と、を有する。
【００１１】
図３および図４は、本実施形態のテレビコンセント１を構成する筐体２を室内側および室外側から見た斜視図である。筐体２は、金属（例えば亜鉛ダイキャスト）で直方体状に一体形成され、一方側（室外側）に向かって開口する開口部２ａを有している。筐体２は、端子ケース１０、端子板２０（図１１参照）を収容する。筐体２の一方側の上辺２ｂの両端部近傍には、蓋材３の支軸３ａを回転可能に支持する軸受部５が形成されている。蓋材３は支軸３ａを回動支点として筐体２に回動可能に支持される。
【００１２】
筐体２の他方側（室内側）の側面には円筒状の取付軸６が突設されている。取付軸６の外周面にはネジ溝７が刻設されており、出力側同軸ケーブルＣ２のＦ型接栓Ｆ（図１参照）を螺合可能となっている。取付軸６の中央部には筐体２内に連通する透孔８が形成されている。筐体２の他方側の対向する側辺２ｃには、それぞれ側方へ突出する取付片９が形成されている。テレビコンセント１は取付片９を介して壁面に固定される。
【００１３】
図５は、本実施形態のテレビコンセント１を構成する蓋材３を内側から見た斜視図である。蓋材３は、筐体２の開口部２ａを覆う形状に金属（例えば亜鉛ダイキャスト）で一体に形成されている。蓋材３の周縁部は開口部２ａの周縁部に密接するように形成されている。蓋材３の上縁部両側には、それぞれ側方に突出する支軸３ａが形成されている。
【００１４】
蓋材３の下縁部には、入力側同軸ケーブルＣ１が挿通される切欠き部３ｂが形成されている。蓋材３の内側面には切欠き部３ｂの上方において水平方向に延在する複数（ここでは３本）の蓋材側リブ３ｃが突設されている。蓋材側リブ３ｃの斜め上方にはビス４０が貫通する貫通孔３ｄが形成されている。
【００１５】
図６は、本実施形態のテレビコンセント１を構成する端子カバー４を内側から見た斜視図である。端子カバー４は合成樹脂で矩形状に成形されており、筐体２の他方側（室内側）の側面に取り付けられる。端子カバー４の中央部には、筐体２の取付軸６（図３参照）を挿通して室内側に露出させるための開口穴４ａが設けられている。開口穴４ａの周囲には室内側から出力側同軸ケーブルＣ２のＦ型接栓Ｆを取付軸６に接続するための凹部４ｂが形成されている。
【００１６】
端子カバー４の左右方向両側面には、先端部が楔状に形成された係止片４ｃが形成されている。係止片４ｃを撓ませて筐体２の取付片９に形成された係合溝９ａ（図３参照）に内側から係合させることにより、端子カバー４が筐体２に装着される。
【００１７】
図７は、テレビコンセント１から筐体２および端子カバー４を取り外した状態を示す斜視図である。図８は、端子ケース１０を下方から見た斜視図である。図９は、図７の端子ケース１０から第２収容部１０ｂを取り外した状態を示す斜視図である。図１０は、端子ケース１０に収容される端子金具１４の斜視図である。
【００１８】
筐体２内には、端子金具１４を収納する端子ケース１０が配置されている。端子ケース１０は透明な樹脂材料で形成されており、第１収容部１０ａおよび第２収容部１０ｂで構成されている。
【００１９】
端子金具１４は、筐体２の下方から挿入される入力側同軸ケーブルＣ１の芯線Ｃ１ａを挟持する第１ばね片１４ａと、室内側から挿入される出力側同軸ケーブルＣ２の芯線Ｃ２ａを挟持する第２ばね片１４ｂを有する。
【００２０】
端子ケース１０の第１収容部１０ａには端子金具１４が支持されており、第１収容部１０ａ内には端子金具１４の第１ばね片１４ａが収容されている。第１収容部１０ａの下面には、入力側同軸ケーブルＣ１の芯線Ｃ１ａ（図１３参照）が挿通される第１挿通孔１２が形成されている。入力側同軸ケーブルＣ１を接続する端子金具１４が第１収容部１０ａで被覆されているため、入力側同軸ケーブルＣ１の芯線Ｃ１ａと編組線（図示せず）との短絡を防止することができる。
【００２１】
第２収容部１０ｂ内には端子金具１４の第２ばね片１４ｂが収容されている。第２収容部１０ｂは筐体２の取付軸６（図１参照）内に向かって室内側に突出する筒状であり、図１に示すように、第２収容部１０ｂの先端が取付軸６の透孔８から露出している。第２収容部１０ｂの軸中心には、出力側同軸ケーブルＣ２の芯線Ｃ２ａ（図１参照）が挿通される第２挿通孔１３が形成されている。
【００２２】
図１１および図１２は、それぞれ筐体２内に配置される端子板２０を室外側および室内側から見た斜視図である。端子板２０は金属（例えば亜鉛ダイキャスト）により形成され、側端縁に沿って形成されたボス孔２１を筐体２の開口部２ａの周縁部に形成されたボス２ｄ（図４参照）に嵌め込むことで筐体２に固定される。端子板２０には連通部２２、シールド部２３、ビス孔２５、抜け止めリブ２７が形成されている。
【００２３】
連通部２２は、端子ケース１０の第１収容部１０ａを端子板２０より室外側（蓋材３側）に突出させる。シールド部２３は、室外側（図９の左側）から連通部２２を覆う一端（上端）が封止された筒状である。シールド部２３の下端には円形のケーブル挿入穴２３ａが形成されている。ケーブル挿入穴２３ａの内径は入力側同軸ケーブルＣ１の外径と略同一である。
【００２４】
シールド部２３の室外側の側面には連通部２２と対向する位置に窓部３０が形成されている。蓋材３を開放した状態では、窓部３０および透明な端子ケース１０（第１収容部１０ａ）を介して端子金具１４の第１ばね片１４ａが視認可能となっている。
【００２５】
ビス孔２５は、蓋材３を閉じた状態で貫通孔３ｄ（図５参照）に対向する位置に設けられている。抜け止めリブ２７は、蓋材３を閉じた状態で蓋材側リブ３ｃ（図５参照）に対向する位置に形成されている。
【００２６】
次に、上記のように構成されたテレビコンセント１を用いたアンテナとテレビ受像機との接続手順について説明する。図１３は、端子板２０のシールド部２３に入力側同軸ケーブルＣ１が挿入された状態を室外側から見た平面図である。図１４は、端子ケース１０が装着された端子板２０を下方から見た図である。図１３に示すように、蓋材３（図７参照）を開放した状態で、アンテナから受信信号が供給される入力側同軸ケーブルＣ１を端子板２０のシールド部２３のケーブル挿入穴２３ａに挿入する。そして、入力側同軸ケーブルＣ１の芯線Ｃ１ａを第１収容部１０ａの第１挿通孔１２に挿通して端子金具１４の第１ばね片１４ａに挟持させる。
【００２７】
図１３および図１４に示すように、端子板２０に端子ケース１０を装着したとき、第１収容部１０ａの第１挿通孔１２および第１収容部１０ａ内の第１ばね片１４ａは、ケーブル挿入穴２３ａの中心（シールド部２３の軸中心）を通る直線Ｌ上に位置する。そのため、入力側同軸ケーブルＣ１をシールド部２３に挿入するだけで、入力側同軸ケーブルＣ１の芯線Ｃ１ａが第１挿通孔１２を通過して第１ばね片１４ａに精度よく案内される。このとき、シールド部２３に形成された窓部３０および第１収容部１０ａを介して第１ばね片１４ａへの芯線Ｃ１ａの挟持状態を確認することができる。
【００２８】
また、シールド部２３の内周面の４箇所には入力側同軸ケーブルＣ１の挿入方向に延在する導通リブ２３ｂが形成されている。入力側同軸ケーブルＣ１をシールド部２３に挿入したとき、入力側同軸ケーブルＣ１の外部導体（アルミ箔）Ｃ１ｂと導通リブ２３ｂとが接触することにより、入力側同軸ケーブルＣ１のシールド構造が形成される。
【００２９】
なお、シールド部２３に形成される窓部３０の短手方向の長さＷ（図１３参照）が小さいほど、テレビ放送で利用される２２２４ＭＨｚ〜３２２４ＭＨｚ帯域の電波漏洩を確実に規格内に留めることができる。一方、窓部３０の短手方向の長さＷが大きいほど、芯線Ｃ１ａの視認性を高めることができる。そのため、要求される電波漏洩の防止効果と芯線Ｃ１ａの視認性とを考慮して、窓部３０の短手方向の長さＷを決定することが好ましい。
【００３０】
さらに、第１ばね片１４ａの窓部３０側の表面がシールド部２３の表面から一定距離以上内側に位置するように、端子金具１４が配置されていることが好ましい。これにより、窓部３０からの電波漏洩をより効果的に抑制することができる。
【００３１】
この状態で蓋材３を回動して閉鎖すると、入力側同軸ケーブルＣ１が蓋材３と端子板２０との間で挟着保持される。蓋材３の切欠き部３ｂを介して筐体２から外部に引き出された入力側同軸ケーブルＣ１は、蓋材側リブ３ｃ（図５参照）と抜け止めリブ２７（図１１参照）とで径方向に挟み込まれて固定される。これにより、入力側同軸ケーブルＣ１が引っ張られたときのテレビコンセント１からの抜けを抑制することができる。
【００３２】
その後、蓋材３を閉鎖した状態でビス４０（図２参照）を貫通孔３ｄからビス孔２５に螺入して締結すると、蓋材３が端子板２０を介して筐体２に固定され、蓋材３の切欠き部３ｂが入力側同軸ケーブルＣ１により略封止される。
【００３３】
以上のように組み立てられたテレビコンセント１を壁面に固定すると、端子カバー４の正面および筐体２の取付軸６のみが壁面から室内側に露出する。取付軸６に出力側同軸ケーブルＣ２のＦ型接栓Ｆ（図１参照）を接続するとともに、芯線Ｃ２ａを挿通孔１２に挿通して端子金具１４の第２ばね片１４ｂに挟持させる。これにより、入力側同軸ケーブルＣ１の芯線Ｃ１ａと出力側同軸ケーブルＣ２の芯線Ｃ２ａが端子金具１４を介して接続され、アンテナからテレビ受像機にアンテナ受信信号が供給される状態となる。
【００３４】
本実施形態のテレビコンセント１は、入力側同軸ケーブルＣ１を端子板２０のシールド部２３に挿入して芯線Ｃ１ａを第１挿通孔１２に挿通し、蓋材３を閉じてビス４０で筐体２に固定すれば、入力側同軸ケーブルＣ１のテレビコンセント１への接続作業が終了する。即ち、シールド部２３が入力側同軸ケーブルＣ１の挿入ガイドとして機能するため、芯線Ｃ１ａを第１挿通孔１２に円滑に挿通することができる。
【００３５】
本実施形態のテレビコンセント１は、透明な端子ケース１０およびシールド部２３に設けられた窓部３０を介して芯線Ｃ１ａと端子金具１４（第１ばね片１４ａ）との接続状態を視認することができる。従って、入力側同軸ケーブルＣ１の接続作業に要する工数を削減することができる。また、Ｆ型接栓Ｆを使用することなく、芯線Ｃ１ａの挟持状態の視認性を確保しつつ、電波漏洩を確実に規格内に抑えることができる。
【００３６】
その他、本発明は上記実施形態に限定されず、本発明の趣旨を逸脱しない範囲で種々の変更が可能である。例えば、上記実施形態ではテレビ受像機にアンテナ受信信号を供給するテレビコンセント１を例に挙げて説明したが、２本の同軸ケーブルを接続して高周波信号を処理する機器であれば、種々の同軸ケーブルコネクタに適用することができる。
【００３７】
また、上記実施形態では、蓋材３を閉鎖したとき窓部３０は筐体２の内部で開放されているが、例えば、蓋材３を閉鎖したときに蓋材３の窓部３０と対向する位置に、窓部３０を閉鎖する凸部を設けてもよい。これにより、凸部が窓部３０の蓋としての機能を果たし、窓部３０からの電波漏洩をより確実に抑制することができる。この場合、凸部により電波漏洩が抑制されるため、窓部３０を大きくして芯線Ｃ１ａの視認性を高めることもできる。また、上記実施形態では、窓部３０を開口として形成しているが、窓部３０を透明材料で封止してもよい。これにより防塵効果を得ることができ、塵などによる接触不良を防止できる。
【産業上の利用可能性】
【００３８】
本発明は、テレビ受像機にアンテナ受信信号を供給するテレビコンセント等の、２本の同軸ケーブルを接続する同軸ケーブルコネクタに利用することができる。
【符号の説明】
【００３９】
１      テレビコンセント（同軸ケーブルコネクタ）
２      筐体
２ａ    開口部
３      蓋材
３ａ    支軸
３ｂ    切欠き部
３ｃ    蓋材側リブ
４      端子カバー
６      取付軸
１０    端子ケース
１０ａ  第１収容部
１０ｂ  第２収容部
１２    第１挿通孔
１３    第２挿通孔
２０    端子板
２２    連通部
２３    シールド部
２３ａ  ケーブル挿入穴
２３ｂ  導通リブ
２７    抜け止めリブ
３０    窓部
４０    ビス
Ｃ１    入力側同軸ケーブル
Ｃ１ａ  芯線（入力側同軸ケーブル）
Ｃ１ｂ  外部導体
Ｃ２    出力側同軸ケーブル
Ｃ２ａ  芯線（出力側同軸ケーブル）
【図１】
2020177852.tif 000003
【図２】
2020177852.tif 000004
【図３】
2020177852.tif 000005
【図４】
2020177852.tif 000006
【図５】
2020177852.tif 000007
【図６】
2020177852.tif 000008
【図７】
2020177852.tif 000009
【図８】
2020177852.tif 000010
【図９】
2020177852.tif 000011
【図１０】
2020177852.tif 000012
【図１１】
2020177852.tif 000013
【図１２】
2020177852.tif 000014
【図１３】
2020177852.tif 000015
【図１４】
2020177852.tif 000016
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
一側面に開口部が形成された金属製の筐体と、
入力側同軸ケーブルの芯線を挟持する第１ばね片と、出力側同軸ケーブルに取着されたＦ型接栓の芯線を挟持する第２ばね片と、を有する端子金具と、
前記筐体内に配設され、前記端子金具を収納するとともに前記入力側同軸ケーブルの芯線が挿通される挿通孔が形成された端子ケースと、
前記端子ケースが装着される金属製の端子板と、
前記筐体の前記開口部を開閉可能な金属製の蓋材と、
を備えた同軸ケーブルコネクタにおいて、
前記端子板は、一端が封止された筒状であって前記入力側同軸ケーブルが挿入されるとともに、前記端子ケースの前記第１ばね片が収納された部分を被覆するシールド部を備え、
前記端子ケースは透明な樹脂材料で形成され、前記シールド部は、前記第１ばね片に対向する位置に窓部が形成されており、
前記シールド部の外側から前記端子ケースおよび前記窓部を介して前記第１ばね片を視認可能であることを特徴とする同軸ケーブルコネクタ。
【請求項２】
前記シールド部は円形のケーブル挿入穴を有し、前記挿通孔および前記第１ばね片は前記ケーブル挿入穴の中心を通る直線上に位置することを特徴とする請求項１に記載の同軸ケーブルコネクタ。
【請求項３】
前記ケーブル挿入穴の内周面には、前記入力側同軸ケーブルの外部導体と接触する導通リブが形成されることを特徴とする請求項２に記載の同軸ケーブルコネクタ。
【請求項４】
前記端子ケースは、前記端子金具の前記第１ばね片側を収容する第１収容部と、前記端子金具の前記第２ばね片側を収容する第２収容部と、で構成され、
前記端子板は、前記端子板を挟んで前記第１収容部を前記第２収容部と反対側に突出させる連通部と、前記連通部から突出した前記第１収容部を被覆する前記シールド部と、を有することを特徴とする請求項１乃至請求項３のいずれかに記載の同軸ケーブルコネクタ。
【請求項５】
前記蓋材は、前記筐体の前記開口部の一側縁に回動可能に支持されており、
前記蓋材および前記端子板には、前記蓋材が前記開口部を閉鎖する位置にあるとき前記入力側同軸ケーブルの外周面を挟持する蓋側リブおよび抜け止めリブが形成されることを特徴とする請求項１乃至請求項４のいずれかに記載の同軸ケーブルコネクタ。